(57)【要約】【課題】ウエーダ本体に当て部材を止着したウエーダにおいて、水の中に入った際に、当て部材の部分において空気が溜まり難くした釣り用ウエーダを提供する。【解決手段】本発明に係る釣り用ウエーダ１は、補強用の当て部材１０を有しており、当て部材１０の周縁部をウエーダ本体１Ａに止着すると共に、当て部材１０の上端側に当て部材１０の内側に通じる開口１５ａを設けたことを特徴とする。【選択図】    図１
2006230288.tif 000002
【特許請求の範囲】
【請求項１】
補強用の当て部材を有する釣り用ウエーダにおいて、
前記当て部材の周縁部をウエーダ本体に止着すると共に、前記当て部材の上端側に前記当て部材の内側に通じる開口を設けたことを特徴とする釣り用ウエーダ。
【請求項２】
前記開口は、ウエーダ本体と当て部材との間を非止着領域とすることで形成されることを特徴とする請求項１に記載の釣りウエーダ。
【請求項３】
前記開口には、当て部材の周縁を内側に折り曲げた折り返し部が形成されていることを特徴とする請求項１または２に記載の釣り用ウエーダ。
【請求項４】
前記開口は、当て部材の中心から左右いずれかにずらせて設けられていることを特徴とする請求項１ないし３のいずれか１項に記載の釣り用ウエーダ。
【請求項５】
補強用の当て部材を有する釣り用ウエーダにおいて、
前記当て部材の周縁部をウエーダ本体に止着すると共に、前記当て部材の上下方向それぞれに、少なくとも１箇所以上、当て部材の内側に通じる開口を設けたことを特徴とする釣り用ウエーダ。
【請求項６】
前記上下方向それぞれに設けられた開口は、前記当て部材の上端位置、及び下端位置であることを特徴とする請求項５に記載の釣り用ウエーダ。
【発明の詳細な説明】
【技術分野】
【０００１】
本発明は、例えば、釣りを行なうに際して着用される釣り用ウエーダに関する。
【背景技術】
【０００２】
従来、例えば、水に立ち込んだ状態で行なう釣りでは、釣り人は、足先から胴にかけて防水性を有する材料で形成された履物（ズボン）を着用している。このような履物は、一般的に「釣り用ウエーダ」と総称されており、胴長靴と呼ばれるズボン付きの長靴、靴下とズボンが一体になったタイツ型、或いは、鮎釣り等で多く着用される防水性を有する材料で形成したズボン（鮎タイツとも称される）等がある。
【０００３】
上記したような釣り用ウエーダを着用して釣りを行なう場合、釣り人は、川の中を動き回ったり、川を渡ったり、或いは岩場や草むら等、足場が悪い場所を通ったり、膝を付いて作業をしたりするため、ウエーダ表面が擦り切れやすいという問題がある。このため、例えば、特許文献１に開示されているように、ウエーダ本体の表面に、膝当てや脛当て等の補強用の当て部材（補強部材）をあてて止着することが行なわれている。
【０００４】
しかし、上記したような当て部材をウエーダ本体に対して、当て部材全面に亘って接着剤等によって止着すると、介在された接着剤の影響も加わり、当て部材を止着した部分が硬くなって曲げにくく圧迫感も生じてしまう。このため、このような部分を有するウエーダを着用すると、疲れ易くなるという問題がある。
【０００５】
そこで、従来では、当て部材の周縁部をウエーダ本体に対して縫着によって止着し、裏面側から縫着部分にシール用のテープを止着することが行なわれている。
【特許文献１】実開昭５８−１５５３１３号
【発明の開示】
【発明が解決しようとする課題】
【０００６】
上記したように、当て部材の周縁部を縫着することにより、圧迫感を緩和することが可能となるものの、縫着部分から水が滲入して、水から上がった際に、当て部材の部分が袋状になって水が溜まってしまい、歩き難くなるという問題がある。このため、当て部材の周縁部を縫着するに際しては、例えば、下側の一部を非縫着にして水抜き用の開口を形成しておくことで、水から上がった際に、内部に袋状に溜まった水を直ちに排出するように構成することが考えられる。
【０００７】
ところが、このように下側に水抜き用の開口を形成しておくだけでは、水に入った際にウエーダ本体と当て部材との間に空気が溜まってしまい、水の中で動き難くなるという問題がある。さらに、ウエーダ使用後において、ウエーダ本体と当て部材との間に残った水が乾き難いという問題もある。
【０００８】
本発明は、上記した問題に基づいてなされたものであり、ウエーダ本体に当て部材を止着したウエーダにおいて、水の中に入った際に、当て部材の部分において空気が溜まり難くした釣り用ウエーダを提供することを目的とする。  
また、本発明は、当て部材の部分において残留した水分が速やかに乾燥できるようにした釣り用ウエーダを提供することを目的とする。
【課題を解決するための手段】
【０００９】
上記した目的を達成するために、本発明に係る釣り用ウエーダは、補強用の当て部材を有しており、前記当て部材の周縁部をウエーダ本体に止着すると共に、前記当て部材の上端側に前記当て部材の内側に通じる開口を設けたことを特徴とする。
【００１０】
上記した構成の釣り用ウエーダによれば、釣り人がウエーダを着用して水の中に入った際に、空気は上端側に設けられた開口を通じて外部に抜けることから、空気がウエーダ本体と当て部材との間に袋状になって溜まることが防止され、水の中で動き難くなるようなことはない。
【００１１】
また、上記した目的を達成するために、本発明に係る釣り用ウエーダは、補強用の当て部材を有しており、前記当て部材の周縁部をウエーダ本体に止着すると共に、前記当て部材の上下方向それぞれに、少なくとも１箇所以上、当て部材の内側に通じる開口を設けたことを特徴とする。
【００１２】
上記したように、当て部材の上下方向それぞれに、少なくとも１箇所以上の開口を形成しておくことにより、水の中に入った際に、空気は上方向に設けられた開口を通じて外部に抜けることから、空気がウエーダ本体と当て部材との間に袋状になって溜まることが防止され、水の中で動き難くなるようなことはない。また、水から上がった際に、ウエーダ本体と当て部材との間に溜まっている水は、下方向に設けられた開口を通じて外部に排出されることから、歩き難くなるようなこともない。そして、上下方向に設けられた開口により、当て部材全体に亘って空気の抜けが良くなり、残留した水分を速やかに乾燥させることが可能になる。
【発明の効果】
【００１３】
本発明の釣り用ウエーダによれば、水の中に入った際に、当て部材の部分で空気が溜まることが防止され、水の中で歩き難くなることが防止される。また、本発明の釣り用ウエーダによれば、当て部材の部分において残留した水分を速やかに乾燥させることが可能になる。
【発明を実施するための最良の形態】
【００１４】
図１から図３は、本発明に係る釣り用ウエーダの第１の実施形態を示す図であり、図１は、その正面図、図２は、図１のＡ−Ａ線に沿った断面図、そして、図３は、図１のＢ−Ｂ線に沿った断面図である。
【００１５】
図１に示すように、釣り用ウエーダ１の本体１Ａは、ズボン部２に靴部（長靴部）３が取り付けられた構成となっており、これらはゴムや合成樹脂等からなり、防水性を有するように形成されている。そして、ズボン部２の前側の膝から脛部分にかけて、ゴムや合成樹脂、合成樹脂繊維などからなるシート状の補強部材の当て部材１０が本体１Ａの表面に取り付けられて本体１Ａが補強されている。
【００１６】
本実施形態では、当て部材１０は矩形状に形成されており、その周縁部が内側に折り返されて、折り返し部１０ａに沿ってウエーダ本体１Ａに縫着されている（縫着部を符号１２で示す）。従って、当て部材１０の周縁部がウエーダ本体１Ａに止着され、周縁部の内側は止着されることなくウエーダ本体１Ａに重ねられた状態（添付されて空間Ｓが形成された状態）となっている。このため、両者は独立して動くことが可能となって、向かい合った位置が変移（ずれること）可能となり、これにより、当て部材１０を設けた部分が硬くなくなって、曲げ易く、圧迫感が少なくなり疲れることが防止される。
【００１７】
前記当て部材１０の周縁の縫着部（止着部）１２は、一部縫着することなく、ウエーダ本体１Ａと当て部材１０との間に、当て部材内側（内部空間Ｓ）に通じる開口１５ａ，１５ｂが形成されている。
【００１８】
本実施形態における開口１５ａ，１５ｂは、当て部材１０の上下方向（上端位置と下端位置）に、夫々２箇所、計４箇所設けられており、各開口は、当て部材１０の上端部の左右（角の部分であり、当て部材の中心Ｅから左右にずれた位置；開口１５ａ）と、上端部と同様、下端部の左右（開口１５ｂ）に設けられている。この場合、当て部材１０の角部は、水平方向に対して斜め方向に切欠かれており、この部分を非止着領域とすることで開口１５ａ，１５ｂが形成されている。
【００１９】
上記した構成の釣り用ウエーダによれば、下端側に設けられた開口１５ｂは、主に水抜き孔として機能し、ウエーダ本体１Ａと当て部材１０との間の空間Ｓに水が溜まることを防止する役目を有する。また、上端側に形成された開口１５ａは、ウエーダを履いて水に入ったとき、ウエーダ本体１Ａと当て部材１０との間の空間Ｓに空気が溜まることを防止する役目を果たす（水抜き用の開口としての作用効果もある）。また、本実施形態では、開口１５ａ，１５ｂを、矩形状の当て部材１０の上下の端部位置（当て部材１０全体として見た場合、最も上端位置と下端位置）に形成したことで、当て部材１０の内部に溜まった空気や水を最も効率良く排出することが可能になる。そして、上下方向に沿って、夫々開口１５ａ，１５ｂを形成したことにより、空気の流通が良好になり、使用しないウエーダを干したときに乾燥を速めることが可能になる。
【００２０】
また、本実施形態における開口１５ａ，１５ｂには、当て部材１０の周縁部を内側に折り曲げた折り返し部１０ａが形成されているため、開口部分が補強されて破け難くなっている。また、本実施形態における各開口１５ａ，１５ｂは、当て部材１０の中心Ｅから左右にずれた位置（正面に位置しない部分）に設けられているため、例えば当て部材１０が足（膝）に沿って湾曲した時など最も突出したところ（前方側）に位置せず使用時に他物に当たったり、他物に引っ掛けて破損し難くなっている。この場合、開口１５ａ，１５ｂは、水平線（水面の線）Ｆに対して傾斜して設けられているため、より他物に引っ掛り難くなっており、破損し難くなっている。もちろん、開口については、正面に位置する部分に形成しても良い。
【００２１】
なお、本実施形態における当て部材１０とウエーダ本体１Ａとの間の止着は、縫着によって行なっているが、このように縫着した場合、ウエーダ本体１Ａの内側に防水用部材（防水テープ）２０を貼着して縫着部から水が浸入しないように構成しておくことが好ましい。
【００２２】
図４から図６は、本発明に係る釣り用ウエーダの第２の実施形態を示す図であり、図４は、その正面図、図５は、図４のＣ−Ｃ線に沿った断面図、そして、図６は、図４のＤ−Ｄ線に沿った断面図である。
【００２３】
上記した実施形態では、当て部材１０に設けられる開口を、当て部材１０の周縁部とウエーダ本体１Ａとを非接着にすることで構成されていたが、この実施形態のように、当て部材１０の表面に孔（開口）２５を形成しておくことで構成しても良い。本実施形態では、上下方向に形成される開口の内、上側の開口を当て部材１０の表面に形成した３つの孔２５によって構成してある。
【００２４】
このような構成においても、上記した実施形態と同様な作用効果を得ることが可能となる。なお、当て部材１０の表面に開口２５を形成することに加え、上記した実施形態のように、当て部材１０の上端部に開口１５ａを併せて形成しておいても良いし、或いは、当て部材１０の下側の表面に孔２５と同様な孔を形成しておいても良い。或いは、上記した実施形態のような開口１５ａ，１５ｂを形成することなく、当て部材１０の表面の上下方向に孔２５を形成した構成であっても良い。
【００２５】
以上、本発明の実施形態について説明したが、本発明は、上述した実施形態に限定されることはなく、例えば、以下のように種々変形することが可能である。
【００２６】
当て部材１０の形状は、上記した実施形態の矩形以外にも、多角形状にしたり円形状（楕円形状）にする等、種々変形することが可能である。この場合、開口は、当て部材の上方向（上端側）、或いは上下方向（上端側及び下端側）に設けられていれば良い。なお、上下方向に設ける場合、上記した空気抜きの効果、及び水抜きの効果が充分に発揮できるように、空気が確実に排出可能であり、かつ水が確実に排出可能となるように、図１に示したように、当て部材の上端位置、及び下端位置に形成することが好ましい。
【００２７】
また、開口の個数や大きさについては、特に限定されることはないが、あまり開口を大きくしすぎると、他物が引っ掛かり易くなったり、補強部材としての効果が減少されるため、適度な大きさに形成しておくのが良い。また、開口を形成する位置に関しては、例えば、当て部材１０の側部にする等、適宜変形することが可能である。
【００２８】
また、当て部材１０とウエーダ本体１Ａとの止着方法については、両者の構成材料によって変更することが可能である。例えば、ゴムや樹脂系の材料であれば、接着したり、溶着等しても良い。また、当て部材１０は、その周縁部がウエーダ本体１Ａに対して止着されるが、釣り人に対する圧迫感等が軽減されるのであれば、周縁部以外に止着部があっても差し支えない。さらに、開口１５ａ，１５ｂには、折り返し部１０ａが形成されていない構成であっても良い。
【００２９】
また、当て部材１０は、膝や脛部を補強するように設けるだけでなく、ウエーダ本体１Ａの他の部分に設けても良く、例えば、尻当てとして尻部に設けても良い。
【図面の簡単な説明】
【００３０】
【図１】本発明に係る釣り用ウエーダの第１の実施形態を示す正面図。
【図２】図１のＡ−Ａ線に沿った断面図。
【図３】図１のＢ−Ｂ線に沿った断面図。
【図４】本発明に係る釣り用ウエーダの第２の実施形態を示す正面図。
【図５】図４のＣ−Ｃ線に沿った断面図。
【図６】図４のＤ−Ｄ線に沿った断面図。
【符号の説明】
【００３１】
１  釣り用ウエーダ
１Ａ  ウエーダ本体
２  ズボン部
３  靴部
１０  当て部材
１０ａ  折り返し部
１２  縫着部（止着部）
１５ａ，１５ｂ  開口
２０  防水用部材
２５  孔（開口）
【図１】
2006230288.tif 000003
【図２】
2006230288.tif 000004
【図３】
2006230288.tif 000005
【図４】
2006230288.tif 000006
【図５】
2006230288.tif 000007
【図６】
2006230288.tif 000008